(57)【要約】      （修正有）【課題】走査信号線の走査中に走査を一時的に停止及び再開することのできるタッチパネル付表示装置を提供する。【解決手段】タッチパネル付表示装置は、矩形の表示領域内で矩形の一辺に平行に並置され、画素トランジスタを導通させる電位であるアクティブ電位が印加される複数の走査信号線Ｇｉと、表示領域内の複数の走査信号線に順次、アクティブ電位を印加する駆動パルス出力回路３３２と、駆動パルス出力回路３３２に対してクロック信号である第１クロック信号ＶＧｐ＋４を第１クロック信号線に印加する回路であり、アクティブ電位の順次印加を途中で停止する停止期間において、第１クロック信号線への第１クロック信号ＶＧｐ＋４の印加を停止するクロック信号出力回路と、停止期間において、表示面への接触の検出を行うタッチパネル制御部と、を備える。【選択図】図６
2015041235.tif 000002
【特許請求の範囲】
【請求項１】
矩形の表示領域内で前記矩形の一辺に平行に並置され、画素トランジスタを導通させる電位であるアクティブ電位が印加される複数の走査信号線と、
前記表示領域内の前記複数の走査信号線に順次、前記アクティブ電位を印加する駆動パルス出力回路と、
前記駆動パルス出力回路に対してクロック信号である第１クロック信号を第１クロック信号線に印加する回路であり、前記アクティブ電位の順次印加を途中で停止する停止期間において、前記第１クロック信号線への前記第１クロック信号の印加を停止するクロック信号出力回路と、
前記停止期間において、表示面への接触の検出を行うタッチパネル制御部と、を備えるタッチパネル付表示装置。
【請求項２】
請求項１に記載のタッチパネル付表示装置であって、前記アクティブ電位の順次印加を途中で停止した際に、最後に印加された前記アクティブ電位を非アクティブ電位にするリセット信号、及び前記停止された前記アクティブ電位の順次印加を前記途中から再開させる開始信号を生成して出力するリセット開始信号生成回路を更に有し、
前記クロック信号出力回路は、前記リセット開始信号生成回路に対し、前記第１クロック信号より低い周波数のクロック信号である前記第２クロック信号を供給する、ことを特徴とするタッチパネル付表示装置。
【請求項３】
請求項１又は２に記載のタッチパネル付表示装置であって、
前記駆動パルス出力回路は、前記複数の走査信号線が形成された基板と同じ基板上の、前記矩形の表示領域の外側に配置され、
前記リセット開始信号生成回路は、前記複数の走査信号線が形成された基板と同じ基板上の、前記駆動パルス出力回路の更に前記外側に配置されている、ことを特徴とするタッチパネル付表示装置。
【請求項４】
請求項１乃至３のいずれか一項に記載のタッチパネル付表示装置であって、
前記駆動パルス出力回路は、前記矩形の表示領域の対向する辺の両外側の２カ所にそれぞれ配置され、それぞれ奇数番目の走査信号線及び偶数番目の走査信号線に順次前記アクティブ電位を印加し、
前記リセット開始信号生成回路は、前記両外側の２カ所に配置された前記駆動パルス出力回路の更に外側にそれぞれ配置され、前記２カ所の前記駆動パルス出力回路にそれぞれ前記リセット信号及び前記開始信号を供給する、ことを特徴とするタッチパネル付表示装置。
【請求項５】
請求項１乃至４のいずれか一項に記載のタッチパネル付表示装置であって、
前記リセット開始信号生成回路は、順次アクティブ電位を出力する回路である複数段の回路ブロックを有し、一部の段の回路ブロックが前記走査信号線に対し、前記リセット信号又は前記開始信号を出力する、ことを特徴とするタッチパネル付表示装置。
【請求項６】
請求項１乃至５のいずれか一項に記載のタッチパネル付表示装置であって、
前記表示装置は、画素電極と共通電極との間に形成される電界が液晶組成物の配向を制御することにより透過する光の量を制御する液晶表示装置であり、
前記共通電極は、複数に分割され、少なくとも一部が前記接触を検知するための容量を形成する１組の電極のうちの一方の電極である、ことを特徴とするタッチパネル付表示装置。
【発明の詳細な説明】
【技術分野】
【０００１】
本発明は、タッチパネル付液晶表示装置に関する。
【背景技術】
【０００２】
コンピュータ等の情報通信端末においては、表示画面上に重ねて配置されたタッチパネルを入力装置としたものが広く用いられている。表示装置として一般に普及している液晶表示装置は、薄膜トランジスタ基板（以下、「ＴＦＴ（Thin
Film Transistor）基板」という。）とカラーフィルタ基板の２つの基板の間に封じ込められた液晶組成物の配向を電界の変化により変え、液晶パネルを通過する光の透過度合いを制御することにより画像を表示させる装置である。このうち、ＴＦＴ基板側に画素電極と共通電極の両方が配置されるＩＰＳ（In Plane Switching）方式では、いわゆる横電界を形成し、視野角の広い表示を実現している。
【０００３】
タッチパネルは、使用者の指などを用いてタッチされたパネル上の座標を認識することにより、処理装置に処理を行なわせる入力装置である。パッチパネルには、タッチされた部分の抵抗値変化を検出する抵抗膜方式、タッチにより遮蔽された部分の光量変化を検出する光センサ方式、容量変化を検出する静電容量結合方式などが知られている。静電容量結合方式は、パネルの透過率が高く表示画質を低下させない点、他の電極との接触がなく耐久性が高い点等から広く用いられている。
【０００４】
特許文献１は、ＩＰＳ方式の液晶表示装置において、液晶表示装置の共通電極をタッチパネルの駆動電極として用いることにより、より薄型化されたタッチパネル付液晶表示装置を開示している。特許文献２は、液晶表示装置のような表示装置に用いられるシフトレジスタ回路について開示している。
【先行技術文献】
【特許文献】
【０００５】
【特許文献１】特開２００９−２４４９５８号公報
【特許文献２】特開２００７−０９５１９０号公報
【発明の概要】
【発明が解決しようとする課題】
【０００６】
タッチパネル付液晶表示装置のようなタッチパネル付表示装置における、タッチ検出動作は、表示装置の走査信号線の電位変化によるノイズの混入を避けるため、走査信号線の電位変化のない期間に行われることが多い。この電位変化のない期間は、走査信号線が走査されていない期間だけでなく、走査信号線の走査中に一時的に走査を停止する期間設けることとしてもよい。
【０００７】
本発明は、上述の事情に鑑みてされたものであり、走査信号線の走査中に走査を一時的に停止及び再開することのできるタッチパネル付表示装置を提供することを目的とする。
【課題を解決するための手段】
【０００８】
本発明のタッチパネル付表示装置は、矩形の表示領域内で前記矩形の一辺に平行に並置され、画素トランジスタを導通させる電位であるアクティブ電位が印加される複数の走査信号線と、前記表示領域内の前記複数の走査信号線に順次、前記アクティブ電位を印加する駆動パルス出力回路と、前記駆動パルス出力回路に対してクロック信号である第１クロック信号を第１クロック信号線に印加する回路であり、前記アクティブ電位の順次印加を途中で停止する停止期間において、前記第１クロック信号線への前記第１クロック信号の印加を停止するクロック信号出力回路と、前記停止期間において、表示面への接触の検出を行うタッチパネル制御部と、を備えるタッチパネル付表示装置である。
【０００９】
また、本発明のタッチパネル付表示装置においては、前記アクティブ電位の順次印加を途中で停止した際に、最後に印加された前記アクティブ電位を非アクティブ電位にするリセット信号、及び前記停止された前記アクティブ電位の順次印加を前記途中から再開させる開始信号を生成して出力するリセット開始信号生成回路を更に有し、前記クロック信号出力回路は、前記リセット開始信号生成回路に対し、前記第１クロック信号より低い周波数のクロック信号である前記第２クロック信号を供給してもよい。
【００１０】
また、本発明のタッチパネル付表示装置において、前記駆動パルス出力回路は、前記複数の走査信号線が形成された基板と同じ基板上の、前記矩形の表示領域の外側に配置され、前記リセット開始信号生成回路は、前記複数の走査信号線が形成された基板と同じ基板上の、前記駆動パルス出力回路の更に前記外側に配置されていてもよい。
【００１１】
また、本発明のタッチパネル付表示装置において、前記駆動パルス出力回路は、前記矩形の表示領域の対向する辺の両外側の２カ所にそれぞれ配置され、それぞれ奇数番目の走査信号線及び偶数番目の走査信号線に順次前記アクティブ電位を印加し、前記リセット開始信号生成回路は、前記両外側の２カ所に配置された前記駆動パルス出力回路の更に外側にそれぞれ配置され、前記２カ所の前記駆動パルス出力回路にそれぞれ前記リセット信号及び前記開始信号を供給してもよい。
【００１２】
また、本発明のタッチパネル付表示装置において、前記リセット開始信号生成回路は、順次アクティブ電位を出力する回路である複数段の回路ブロックを有し、一部の段の回路ブロックが前記走査信号線に対し、前記リセット信号又は前記開始信号を出力してもよい。
【００１３】
また、本発明のタッチパネル付表示装置において、前記表示装置は、画素電極と共通電極との間に形成される電界が液晶組成物の配向を制御することにより透過する光の量を制御する液晶表示装置であり、前記共通電極は、複数に分割され、少なくとも一部が前記接触を検知するための容量を形成する１組の電極のうちの一方の電極であってもよい。
【図面の簡単な説明】
【００１４】
【図１】本発明の第１実施形態に係るタッチパネル付液晶表示装置について示す図である。
【図２】タッチパネルのタッチ検出に用いられる電極の配置について示す平面図である。
【図３】図２のIII−III線における断面図である。
【図４】図１の液晶パネルの表示用回路の構成を示す図である。
【図５】図４の左側駆動回路の内部の構成を概略的に示す回路図である。
【図６】走査信号線Ｇｉに出力する出力回路ブロックの詳細を示す回路図である。
【図７】転送信号ＶＳＴｊを出力するリセット開始信号生成回路部内の転送回路ブロックの詳細を示す回路図である。
【図８】リセット回路ブロック及び開始回路ブロックの詳細を示す回路図である。
【図９】左側駆動回路の各信号の変化を示すタイミングチャートである。
【図１０】比較例に係る左側駆動回路の構成を概略的に示す回路図である。
【図１１】本発明の第２実施形態に係るタッチパネル付液晶表示装置の左側駆動回路の構成を概略的に示す回路図である。
【図１２】走査信号線Ｇｉに出力する出力回路ブロックの詳細を示す回路図である。
【図１３】リセット開始信号生成回路部内の転送回路ブロックの詳細を示す回路図である。
【図１４】リセット回路ブロック及び開始回路ブロックの詳細を示す回路図である。
【図１５】順方向走査における左側駆動回路の各信号の変化を示すタイミングチャートである。
【図１６】逆方向走査における左側駆動回路の各信号の変化を示すタイミングチャートである。
【発明を実施するための形態】
【００１５】
以下、本発明の実施形態について、図面を参照しつつ説明する。なお、図面において、同一又は同等の要素には同一の符号を付し、重複する説明を省略する。
【００１６】
［第１実施形態］
図１は、本発明の第１実施形態に係るタッチパネル付液晶表示装置１００について示す図である。この図に示されるように、タッチパネル付液晶表示装置１００は、タッチパネル付液晶表示パネル２００と、タッチパネル付液晶表示パネル２００を挟むように固定する上フレーム１０１及び下フレーム１０２と、により構成される。
【００１７】
図２は、タッチパネルのタッチ検出に用いられる電極の配置について示す平面図である。液晶表示に使用される共通電極は、表示領域２０２の短辺方向に延びる短冊形状であり、タッチパネル制御部２６６から駆動信号ＴＸが印加される駆動電極２１３と、駆動電極２１３以外の電極であり、表示領域の短辺方向に延びる短冊形状の非駆動電極２１５とを有し、これらは表示領域２０２に敷き詰められるように配置されている。
【００１８】
一方、共通電極が配置される層とは別の層において、表示領域２０２の長辺方向に延び、表示領域２０２の短辺方向に複数並置された検出電極２３０と、各検出電極２３０の間に配置され、検出電極２３０と同様の方向に延び、複数並置されたダミー電極２３５と、が形成されている。検出電極２３０により検出された信号は、検出電極２３０毎にタッチパネル制御部２６６に入力され、タッチ座標が演算される。ダミー電極２３５は、電気的にフローティングであってもよいし、接地されていてもよい。フローティングとした場合には、タッチ検出の際の補助容量的な機能を有する。なお、駆動電極２１３、非駆動電極２１５、検出電極２３０、ダミー電極２３５のそれぞれは、ＩＴＯ（Indium Tin Oxide）等の透明の導電材料を用いて形成される。また、各電極は、複数の導電線が所定の間隔で配置された導電線の束として構成されていてもよい。
【００１９】
また、タッチパネル制御部２６６は、図示していないが、各駆動電極２１３に対し順に駆動パルスを印加する回路と、検出電極２３０において検出された信号を積算する検出回路と、駆動パルスの出力タイミング等の制御のパラメータについて記憶するレジスタと、検出回路の出力に基づいて表示面におけるタッチの有無及びタッチ位置を演算する演算処理部等と、を有している。
【００２０】
図３には、図２のIII−III線における断面が概略的に示されている。この図に示されるように、タッチパネル付液晶表示パネル２００は、不図示の薄膜トランジスタ（ＴＦＴ：Thin Film Transistor）が形成され、マトリクス状に配置された画素毎に液晶の配向を制御するための回路が形成されたＴＦＴ基板２１０と、入射した光を不図示のカラーフィルタにより画素毎にＲＧＢ各色の波長の光として出射する不図示のカラーフィルタが形成された矩形の対向基板２２０と、これらの基板の間に封止された液晶組成物からなる液晶層２２７とにより構成されている。ここで、ＴＦＴ基板２１０には、図３に示されるように、ガラス基板２１１上に画素電極２１２が形成され、更に液晶表示における共通電極として機能する駆動電極２１３及び非駆動電極２１５（図２参照）が形成されている。対向基板２２０には、ガラス基板２２１上に検出電極２３０及びダミー電極２３５が形成されている。
【００２１】
図４には、図１の液晶表示パネル２００の表示用回路の構成が示されている。図３で説明したように、液晶表示パネル２００は、ＴＦＴ（Thin Film Transistor：薄膜トランジスタ）基板２１０と対向基板２２０の２枚の基板を有し、これらの基板の間には液晶組成物が封止されている。ＴＦＴ基板２１０は、走査信号線Ｇ１〜Ｇｎに対して順に各画素２４０に配置されたＴＦＴのソース・ドレイン間を導通させるためのＨｉｇｈ電位（アクティブ電位）を印加する駆動回路３００と、表示領域２０２において走査信号線Ｇ１〜Ｇｎに垂直に交差するように延びる不図示の映像信号線に対して画素２４０の階調値に対応する電圧を印加すると共に、駆動回路３００を制御する駆動ＩＣ（Integrated Circuit）２７０とを有している。なお、駆動回路３００は、図面に向って表示領域２０２の左側にあり、奇数番目の走査信号線Ｇｉ（ｉは奇数）に対して順にＨｉｇｈ電位を印加する左側駆動回路３２０と、表示領域２０２の右側にあり、偶数番目の走査信号線Ｇｉ（ｉは偶数）に対して順にＨｉｇｈ電位を印加する右側駆動回路３１０と、を有している。また、駆動ＩＣ２７０は、駆動回路３００に入力させるクロック信号を生成して出力するクロック信号出力回路２７１を有している。
【００２２】
図５は、図４の左側駆動回路３２０の内部の構成を概略的に示す回路図である。上述したように左側駆動回路３２０は奇数番目の走査信号線Ｇｉに出力するための駆動回路３００であり、右側駆動回路３１０も偶数番目の走査信号線Ｇｉに出力する点を除き、同様の構成となっている。この図に示されるように、左側駆動回路３２０は、走査信号線Ｇｉ（ｉは奇数）に順にＨｉｇｈ電位を出力する駆動パルス出力回路部３３０と、駆動パルス出力回路部３３０の順次出力を停止再開するためのリセット開始信号生成回路部３４０とを有している。駆動パルス出力回路部３３０は、少なくとも出力する走査信号線Ｇｉの数の出力回路ブロック３３２を有している。また、リセット開始信号生成回路部３４０は、リセット開始信号生成回路部３４０内の各回路ブロックが順次出力を行うための回路を有する転送回路ブロック３４４と、転送回路ブロック３４４の回路を含むと共に、走査信号線Ｇｉへのアクティブ電位の順次印加を途中で停止した際に、最後に印加されたアクティブ電位を非アクティブ電位に固定する等を行うためのリセット信号ＶＲＳＴＸｊを生成して出力するリセット回路ブロック３４２と、転送回路ブロック３４４の回路を含むと共に、停止されたアクティブ電位の順次印加を途中から再開させる開始信号ＶＳＴＸｊを生成して出力する開始回路ブロック３４６と、を有している。
【００２３】
図６には、走査信号線Ｇｉに出力する出力回路ブロック３３２の詳細を示す回路図である。出力回路ブロック３３２の動作について説明する。走査信号線Ｇｉの２水平駆動期間前に出力される走査信号線Ｇｉ−２がＨｉｇｈ電位になると、この走査信号線Ｇｉ−２はトランジスタＴ７のゲートに入力されているため、トランジスタＴ７が導通し、ノードＮ２はＶＧＬに接続されＬｏｗ電位となる。また、走査信号線Ｇｉ−２は、ダイオード接続されたトランジスタＴ１にも入力されているため、これに接続されたノードＮ１はＨｉｇｈ電位となり、容量Ｃ１に電位差を生じさせると共に、トランジスタＴ５を導通させる。ノードＮ１はトランジスタＴ４のゲートにも接続されており、ノードＮ２はトランジスタＴ４によってもＶＧＬと接続され、Ｌｏｗ電位とされる。
【００２４】
次にクロック信号ＶＧｐ（ｐは、１，３，５又は７）がＨｉｇｈ電位になると、トランジスタＴ５が導通していることから容量Ｃ１の一方の電極の電位がＨｉｇｈ電位となり、いわゆるブートストラップにより他方の電極側であるトランジスタＴ５のゲート電位はより押し上げられる。これにより、走査信号線ＧｉのＨｉｇｈは確定される。クロック信号ＶＧｐがＬｏｗ電位となると、走査信号線ＧｉもＬｏｗ電位となるが、これを確定させるため、遅れてＨｉｇｈ電位になる走査信号線Ｇｉ＋４をトランジスタＴ９のゲートに入力して、トランジスタＴ９を導通させ、ノードＮ１をＶＧＬに接続し、ノードＮ１をＬｏｗ電位としている。一方、走査信号線Ｇｉ＋４と同じ時刻でＨｉｇｈ電位になるクロック信号ＶＧｐ＋４をダイオード接続されたトランジスタＴ３に入力し、ノードＮ２をＨｉｇｈ電位としている。
【００２５】
図７には、転送信号ＶＳＴｊを出力するリセット開始信号生成回路部３４０内の転送回路ブロック３４４の詳細を示す回路図が示されている。この回路は、クロック信号ＣＬＫ＿Ｓｊが、上述のクロック信号Ｖｉと比較して低い周波数で動作させることが異なる他は、同じであるため、動作についての説明は省略する。
【００２６】
図８は、リセット回路ブロック３４２及び開始回路ブロック３４６の詳細を示す回路図である。リセット回路ブロック３４２及び開始回路ブロック３４６は基本的に同じ回路を用いており、リセット回路ブロック３４２の場合には、図５に示されるように、出力回路ブロック３３２において走査信号線Ｇｉ＋４としての入力信号となるリセット信号ＶＲＳＴＸｊを出力し、開始回路ブロック３４６の場合には、出力回路ブロック３３２において走査信号線Ｇｉ−２の入力信号となる開始信号ＶＳＴＸｊを出力する。上述したように、リセット回路ブロック３４２及び開始回路ブロック３４６は、転送回路ブロック３４４を含んでおり、転送回路ブロック３４４の出力ＶＳＴｊは、ダイオード接続のトランジスタＴ１１に入力され、トランジスタＴ１２のゲートに接続されたノードＮ３ＳをＨｉｇｈ電位にし、リセット回路ブロック３４２の場合には入力信号ＶＲＳＴＸの入力により、開始回路ブロック３４６の場合には入力信号ＶＳＴＸの入力により、それぞれリセット信号ＶＲＳＴＸｊ又は開始信号ＶＳＴＸｊが出力される。トランジスタＴ２ＡＳ及びＴ９ＡＳは、出力期間でないときに信号が出力されないようノードＮ３ＳをＬｏｗ電位に固定するためのトランジスタである。
【００２７】
図９は、左側駆動回路３２０の各信号の変化を示すタイミングチャートである。このタイミングチャートに示されるように、クロック信号出力回路２７１により生成出力され、駆動パルス出力回路部３３０に入力されるクロック信号ＶＧ１、ＶＧ３、ＶＧ５及びＶＧ７は、４相のクロック信号であり、走査信号線Ｇｉへ順に１１つの出力を行った後、一時停止され、停止期間経過後に再び１１つの出力を行うことを繰り返す。一方、リセット開始信号生成回路部３４０に入力されるクロック信号ＣＬＫ＿Ｓ＿１、ＣＬＫ＿Ｓ＿３、ＣＬＫ＿Ｓ＿５、ＣＬＫ＿Ｓ＿７も、クロック信号出力回路２７１により生成出力される４相のクロック信号であり、このタイミングチャートに示されるようにクロック信号ＶＧ１、ＶＧ３、ＶＧ５及びＶＧ７より長い周期のクロック信号となっており、停止期間においても一時停止とはならない。このようにリセット開始信号生成回路部３４０をクロック信号ＶＧｐ（ｐは、１，３，５又は７）より長い周期のクロック信号ＣＬＫ＿Ｓ＿ｑ（ｑは、１，３，５又は７）により動作させることにより、内部に形成される回路ブロックの数を少なくすることができると共に、各トランジスタの規模を小さくすることができるため、全体の回路規模を小さくすることができる。
【００２８】
リセットクロック信号ＶＲＳＴＸは、クロック信号ＶＧ１に同期し、クロック信号ＶＧ１の４回のＨｉｇｈ電位に対し１回Ｈｉｇｈ電位となる信号であり、適切なリセット回路ブロック３４２を介してリセット信号ＶＲＳＴＸｊとして出力される。開始クロック信号ＶＳＴＸは、クロック信号ＶＧ７に同期し、クロック信号ＶＧ７の４回のＨｉｇｈ電位に対して１回Ｈｉｇｈ電位となる信号であり、適切な開始回路ブロック３４６を介して開始信号ＶＳＴＸｊとして出力される。
【００２９】
このリセット信号ＶＲＳＴＸｊ及び開始信号ＶＳＴＸｊにより、駆動パルス出力回路部３３０の各出力回路ブロック３３２は、走査信号線Ｇｉへの順次印加を一時停止しながら行うことができる。また、走査信号線Ｇｉへの順次印加の停止期間においては、クロック信号ＶＧ１、ＶＧ３、ＶＧ５及びＶＧ７を停止しているため、図６のトランジスタＴ５を介して走査信号線Ｇｉへ出力されてしまう信号によるノイズの発生も抑制することができる。従って、この停止期間においてタッチパネル制御部２６６から駆動信号ＴＸを発生させることにより、駆動回路３００で発生するノイズの影響を受けることなく、タッチ検出を行うことができる。
【００３０】
図１０は、本実施形態の比較例に係る左側駆動回路３２５の構成を概略的に示す回路図である。この比較例では、図５の左側駆動回路３２０と比較すると、リセット開始信号生成回路部３４０がなく、開始信号ＶＳＴＸｊ及びリセット信号ＶＲＳＴＸｊは、駆動ＩＣ２７０で生成されたものを利用することとしている。このように構成した場合であっても、走査信号線Ｇｉへの順次印加に停止期間設けることができ、更に、停止期間において、クロック信号ＶＧ１、ＶＧ３、ＶＧ５及びＶＧ７を停止することにより、走査信号線Ｇｉへ出力されてしまう信号によるノイズの発生も抑制することができる。しかしながら、出力回路ブロック３３２の外側の配線ＶＳＴ１〜ＶＳＴｎが増加してしまうため、結果として表示領域の外側に形成される額縁領域を広げてしまい、液晶表示パネル２００全体を大きくしてしまうことにつながってしまう。そこで、図５のように駆動パルス出力回路部３３０の動作クロックよりも周期の大きい動作クロックで動作するリセット開始信号生成回路部３４０を設けることにより、駆動ＩＣ２７０で生成した開始信号ＶＳＴＸｊ及びリセット信号ＶＲＳＴＸｊを配線して利用するよりもより小さな額縁領域を達成することができ、液晶表示パネル２００を小さく保つことができる。
【００３１】
リセット開始信号生成回路部３４０の各回路ブロックは、回路規模が小さいため、額縁領域を広げないように、駆動パルス出力回路部３３０の各回路ブロックよりも、走査信号線Ｇｉが延びる方向の長さが短い細長い領域に配置することができる。なお、本実施形態のガラス基板２１１上に形成される半導体回路は、どのような化合物によるものであってもよいが、特にアモルファス半導体、ＬＴＰＳ（Low Temperature Poly-Silicon）半導体であることが好ましい。
【００３２】
［第２実施形態］
図１１は、本発明の第２実施形態に係るタッチパネル付液晶表示装置の左側駆動回路４２０の構成を概略的に示す回路図である。第２実施形態に係るタッチパネル付液晶表示装置は、走査信号線Ｇ１からＧｎへの順方向走査に加えて、走査信号線ＧｎからＧ１への逆方向走査も行える点で第１実施形態と異なっている。図１１に示されるように、左側駆動回路４２０は、左側駆動回路４２０は、第１実施形態と同様に、走査信号線Ｇｉ（ｉは奇数）に順にＨｉｇｈ電位を出力する駆動パルス出力回路部４３０と、駆動パルス出力回路部４３０の順次出力を停止再開するためのリセット開始信号生成回路部４４０とを有している。
【００３３】
駆動パルス出力回路部４３０は、第１実施形態と同様に、少なくとも出力する走査信号線Ｇｉの数の出力回路ブロック４３２を有している。また、リセット開始信号生成回路部４４０は、第１実施形態と同様に、リセット開始信号生成回路部４４０内の各回路ブロックが順次出力を行うための回路を有する転送回路ブロック４４４と、転送回路ブロック４４４内の回路を含むと共に、走査信号線Ｇｉへのアクティブ電位の順方向印加を途中で停止した際に、最後に印加されたアクティブ電位を非アクティブ電位に固定等を行うためのリセット信号ＶＲＳＴＸｊを生成して出力するリセット回路ブロック４４２と、転送回路ブロック４４４内の回路を含むと共に、停止されたアクティブ電位の順方向印加を途中から再開させる開始信号ＶＳＴＸｊを生成して出力する開始回路ブロック４４６と、を有している。ここで、逆方向に走査する際は、開始回路ブロック４４６は、リセット信号ＶＲＳＴＡＸｊを生成して出力し、リセット回路ブロック４４２は、逆方向印加を途中から再開させる開始信号ＶＳＴＡＸｊを出力する。
【００３４】
図１２には、走査信号線Ｇｉに出力する出力回路ブロック４３２の詳細を示す回路図である。出力回路ブロック４３２は、図６の出力回路ブロック３３２の構成に加え、逆方向走査時に動作する３つのトランジスタを有している。３つのトランジスタは、走査信号線Ｇｉ＋２のＨｉｇｈ電位を入力し、ノードＮ１をＬｏｗ電位にするトランジスタＴ７Ａと、同じく走査信号線Ｇｉ＋２のＨｉｇｈ電位を入力し、ノードＮ１を昇圧するトランジスタＴ１Ａと、走査信号線Ｇｉ−４のＨｉｇｈ電位を入力し、ノードＮ１を降圧するトランジスタＴ９Ａと、を有している。これらのトランジスタは、それぞれ出力回路ブロック３３２におけるトランジスタＴ１、トランジスタＴ７、及びトランジスタＴ９と同様の動作を逆走査時に行うものであり、重複する説明を省略する。
【００３５】
図１３には、転送信号ＶＳＴｊを出力するリセット開始信号生成回路部４４０内の転送回路ブロック４４４の詳細を示す回路図が示されている。この回路は、クロック信号ＣＬＫ＿Ｓｑが、図１２の出力回路ブロック４３２のクロック信号ＶＧｐと比較して低い周波数で動作させることが異なる他は、同じであるため、動作についての説明は省略する。
【００３６】
図１４は、リセット回路ブロック４４２及び開始回路ブロック４４６の詳細を示す回路図である。リセット回路ブロック４４２及び開始回路ブロック４４６は基本的に同じ回路を用いており、順方向走査のリセット回路ブロック４４２の場合には、図１１に示されるように、出力回路ブロック４３２において走査信号線Ｇｉ＋４としての入力信号となるリセット信号ＶＲＳＴＸｊを出力し、順方向走査の開始回路ブロック４４６の場合には、出力回路ブロック４３２において走査信号線Ｇｉ−２としての入力信号となる開始信号ＶＳＴＸｊを出力する。
【００３７】
逆方向走査のリセット回路ブロック４４２の場合には、出力回路ブロック４３２において、走査信号線Ｇｉ＋２の信号に相当する信号として入力される開始信号ＶＳＴＡＸｊを出力し、逆方向走査の開始回路ブロック４４６の場合には、出力回路ブロック４３２において、走査信号線Ｇｉ−４の信号に相当する信号として入力されるリセット信号ＶＲＳＴＡＸｊを出力する。
【００３８】
上述したように、リセット回路ブロック４４２及び開始回路ブロック４４６は、転送回路ブロック４４４を含んでおり、転送回路ブロック４４４の出力ＶＳＴｊは、ダイオード接続のトランジスタＴ１１に入力され、トランジスタＴ５Ｓ及びＴ５ＳＡのゲートに接続されたノードＮ３ＳをＨｉｇｈ電位にし、順方向の場合には入力信号ＶＲＳＴＸ又はＶＳＴＸの入力により、それぞれリセット信号ＶＲＳＴＸｊ又は開始信号ＶＳＴＸｊが出力される。逆方向の場合には入力信号ＶＲＳＴＡＸ又はＶＳＴＡＸの入力により、それぞれリセット信号ＶＲＳＴＡＸｊ又は開始信号ＶＳＴＡＸｊが出力される。トランジスタＴ２ＡＳ、Ｔ９ＡＳ及びＴ９Ｓ２Ａは、出力期間でないときに信号が出力されないようノードＮ３ＳをＬｏｗ電位に固定するためのトランジスタである。
【００３９】
図１５及び１６は、左側駆動回路４２０の各信号の変化を示すタイミングチャートである。図１５は順方向に走査する場合のタイミングチャートであり、図１６は逆方向に走査する場合のタイミングチャートである。どちらも図９の場合と同様に、クロック信号ＶＧ１、ＶＧ３、ＶＧ５及びＶＧ７は、４相のクロック信号であり、走査信号線Ｇｉへ順に１１の出力を行った後、一時停止され、再び１１の出力を行うことを繰り返す。また、クロック信号ＣＬＫ＿Ｓ＿１、ＣＬＫ＿Ｓ＿３、ＣＬＫ＿Ｓ＿５、ＣＬＫ＿Ｓ＿７は、クロック信号ＶＧ１、ＶＧ３、ＶＧ５及びＶＧ７より長い周期のクロック信号となっている。図１５と図１６との違いは、クロック信号ＶＧ１、ＶＧ３、ＶＧ５及びＶＧ７及びクロック信号ＣＬＫ＿Ｓ＿１、ＣＬＫ＿Ｓ＿３、ＣＬＫ＿Ｓ＿５、ＣＬＫ＿Ｓ＿７がＨｉｇｈ電位となる順番が逆になることであり、これにより、走査信号線Ｇｉへの出力も逆方向となり、停止期間も逆方向に発生する。この第２実施形態においても、第１実施形態と同様の効果を有する。
【００４０】
以上説明したように、上述の各本実施形態のタッチパネル付表示装置においては、表示動作の走査期間中に走査の停止を行い、タッチ検出の後、再び走査を開始することができる。
【００４１】
また、走査信号線に出力される第１クロック信号が停止しているため、出力トランジスタのリーク等により走査信号線に印加されてしまう電圧はなく、タッチパネルは表示装置のノイズの影響なく、タッチ検出走査を行うことができる。
【００４２】
また、リセット開始信号生成回路部は、クロック信号ＶＧ１、ＶＧ３、ＶＧ５及びＶＧ７である第１クロック信号よりも低周波数のクロック信号ＣＬＫ＿Ｓ＿１、ＣＬＫ＿Ｓ＿３、ＣＬＫ＿Ｓ＿５、ＣＬＫ＿Ｓ＿７である第２クロック信号を利用しているため、回路規模を小さくすることができ、表示領域の外側に形成される額縁領域を広げることなく、実装することがきる。
【００４３】
なお、上述の実施形態においては、表示領域の両側に駆動パルス出力回路及びリセット開始信号生成回路部を配置することとしたが、片側に配置することとしてもよいし、ＴＦＴ基板に載置される駆動ＩＣに実装されていてもよい。
【００４４】
また、実施例１および２両方において、クロック信号出力期間は表示領域の画素電極に対して表示データを書き込む表示データ書き込み期間となっており、停止期間はタッチパネルのタッチ駆動検出期間となっている。この表示データ書き込み期間が複数回とタッチ駆動検出期間が複数回交互に繰り返される期間が表示期間となり、表示期間の後にブランキング期間という画面が表示されない期間がある。表示期間とブランキング期間が１つずつ合わさって１つのフレーム期間ができる。
【符号の説明】
【００４５】
１００  タッチパネル付液晶表示装置、１０１  上フレーム、１０２  下フレーム、２００  タッチパネル付液晶表示パネル、２００  液晶表示パネル、２０２  表示領域、２１０  ＴＦＴ基板、２１１  ガラス基板、２１２  画素電極、２１３  駆動電極、２１５  非駆動電極、２２０  対向基板、２２１  ガラス基板、２２７  液晶層、２３０  検出電極、２３５  ダミー電極、２４０  画素、２６６  タッチパネル制御部、２７１  クロック信号出力回路、３００  駆動回路、３１０  右側駆動回路、３２０  左側駆動回路、３２５  左側駆動回路、３３０  駆動パルス出力回路部、３３２  出力回路ブロック、３４０  リセット開始信号生成回路部、３４２  リセット回路ブロック、３４４  転送回路ブロック、３４６  開始回路ブロック、４２０  左側駆動回路、４３０  駆動パルス出力回路部、４３２  出力回路ブロック、４４０  リセット開始信号生成回路部、４４２  リセット回路ブロック、４４４  転送回路ブロック、４４６  開始回路ブロック。
【図１】
2015041235.tif 000003
【図２】
2015041235.tif 000004
【図３】
2015041235.tif 000005
【図４】
2015041235.tif 000006
【図５】
2015041235.tif 000007
【図６】
2015041235.tif 000008
【図７】
2015041235.tif 000009
【図８】
2015041235.tif 000010
【図９】
2015041235.tif 000011
【図１０】
2015041235.tif 000012
【図１１】
2015041235.tif 000013
【図１２】
2015041235.tif 000014
【図１３】
2015041235.tif 000015
【図１４】
2015041235.tif 000016
【図１５】
2015041235.tif 000017
【図１６】
2015041235.tif 000018